(57)【要約】【課題】  無線中継装置にローカル接続されているローカル接続機器にマルチホップ式に中継されてきた情報が届いた場合、上段の無線中継装置に情報を受信した旨の受信通知を当該情報の送信元へ伝達することができる無線中継装置を提供することにある。【解決手段】  他無線中継装置通信部１１０はアンテナ１１１を介して他無線中継装置よりデータを受信し、情報種別判定部１３０が、前記受信したデータが自ローカル接続機器用のデータであると判定したならば受信通知送信／中継部１４０に送出する。受信通知送信／中継部１４０は正常に受信出来た旨を、アンテナ１１１から他無線中継装置へデータを送出する。【選択図】    図２
2013021485.tif 000002
【特許請求の範囲】
【請求項１】
複数の無線中継装置間でマルチホップ式に情報を中継する無線中継ネットワークを構成する無線中継装置であって、
第１の他無線中継装置から情報を受信して第２の他無線中継装置へ前記受信した情報を中継するまたは前記第２の他無線中継装置から情報を受信して前記受信した情報を前記第１の他無線中継装置へ中継する情報中継手段と、前記第１または第２の他無線中継装置へ前記配信情報を受信した旨の受信通知を送信する受信通知送信手段と、前記第１または第２の他無線中継装置から受信した情報の種別を判定する情報種別判定手段と、前記第１または第２の他無線中継装置から受信した配信情報を自無線中継装置とローカル接続されたローカル接続機器へ中継するローカル接続機器中継手段と、を有し、
前記情報中継手段が前記第１の他無線中継装置から情報の種別を識別する情報識別フラグが付加された配信情報を受信した場合に、前記情報中継手段は前記受信した配信情報を第２の他無線中継装置へ中継し、前記情報種別判定手段は前記受信した配信情報に付加された情報識別フラグを読取り前記受信した配信情報の情報種別が自無線中継装置とローカル接続されたローカル接続機器に対応した情報の種別であるか否かを判定し、前記ローカル接続機器中継手段は前記情報種別判定手段が前記受信した配信情報の情報種別が自無線中継装置とローカル接続されたローカル接続機器に対応した情報の種別であると判定したならば前記受信した配信情報を前記ローカル接続機器へ中継し、前記受信通知送信手段は前記第１の他無線中継装置へ前記配信情報を受信した旨の受信通知を送信し、
前記情報中継手段が前記第２の他無線中継装置から前記配信情報を受信した旨の受信通知を受信した場合に、前記情報中継手段は前記受信した受信通知を前記第１の他無線中継装置へ中継することを特徴とする、情報種別に応じて情報を中継する無線中継装置。
【発明の詳細な説明】
【技術分野】
【０００１】
本発明は、複数の無線中継装置間でマルチホップ式に情報を中継する無線中継ネットワークを構成する無線中継装置に関する。
【背景技術】
【０００２】
無線通信可能な距離が短い無線中継装置を複数配置し、複数の無線中継装置により情報を広い範囲に中継するマルチホップ式無線中継ネットワークに関する技術が知られている（例えば、特許文献１）。
【０００３】
しかしながら、特許文献１に記載された技術は、上位から下位への一方向の通信であり、下位の無線中継装置が正常に情報を受け取ったか判らないため、例えば、途中のいずれかの段の隣接する無線中継装置間で通信エラーが発生して、目的とする当該情報の配信先である最下段の無線中継装置に接続されたローカル接続機器にまでデータが届かなかった場合、その事実を当該情報の配信元は認知できない可能性がある。
【先行技術文献】
【特許文献】
【０００４】
【特許文献１】特開２０１０−２３１５６６号公報
【発明の概要】
【発明が解決しようとする課題】
【０００５】
本発明の課題は、無線中継装置にローカル接続されているローカル接続機器にマルチホップ式に中継されてきた情報が届いた場合、上段の無線中継装置に情報を受信した旨の受信通知を当該情報の送信元へ伝達することができる無線中継装置を提供することにある。
【課題を解決するための手段】
【０００６】
上記の課題を解決するために、本発明は、複数の無線中継装置間でマルチホップ式に情報を中継する無線中継ネットワークを構成する無線中継装置であって、第１の他無線中継装置から情報を受信して第２の他無線中継装置へ前記受信した情報を中継する、または前記第２の他無線中継装置から情報を受信して前記受信した情報を前記第１の他無線中継装置へ中継する情報中継手段と、前記第１または第２の他無線中継装置へ前記配信情報を受信した旨の受信通知を送信する受信通知送信手段と、前記第１または第２の他無線中継装置から受信した情報の種別を判定する情報種別判定手段と、前記第１または第２の他無線中継装置から受信した配信情報を自無線中継装置とローカル接続されたローカル接続機器へ中継するローカル接続機器中継手段と、を有し、前記情報中継手段が前記第１の他無線中継装置から情報の種別を識別する情報識別フラグが付加された配信情報を受信した場合に、前記情報中継手段は前記受信した配信情報を第２の他無線中継装置へ中継し、前記情報種別判定手段は前記受信した配信情報に付加された情報識別フラグを読取り前記受信した配信情報の情報種別が自無線中継装置とローカル接続されたローカル接続機器に対応した情報の種別であるか否かを判定し、前記ローカル接続機器中継手段は前記情報種別判定手段が前記受信した配信情報の情報種別が自無線中継装置とローカル接続されたローカル接続機器に対応した情報の種別であると判定したならば前記受信した配信情報を前記ローカル接続機器へ中継し、前記受信通知送信手段は前記第１の他無線中継装置へ前記配信情報を受信した旨の受信通知を送信し、前記情報中継手段が前記第２の他無線中継装置から前記配信情報を受信した旨の受信通知を受信した場合に、前記情報中継手段は前記受信した受信通知を前記第１の他無線中継装置へ中継することを特徴とする。
【発明の効果】
【０００７】
本発明によれば、マルチホップ式に情報を中継する各無線中継装置が下段から伝達されてきた受信通知を当該情報の送信元へ伝達することができる無線中継装置を提供できる。これにより、情報種別を指定するだけの具体的な送信先を指定しない情報送信であっても、その情報種別に対応しているローカル接続機器の内、どのローカル接続機器に当該情報が届いたかを、当該情報の配信元は把握することができる。
【図面の簡単な説明】
【０００８】
【図１】本発明による一実施例を示す全体構成図である。
【図２】本発明装置の回路ブロック図である
【図３】本発明装置の動作フローチャートである
【発明を実施するための形態】
【実施例】
【０００９】
以下、図面を参照して本発明の実施の形態の詳細について説明する。
図１は、本発明装置の実施形態に係わる中継システムの全体構成図である。１は本発明による無線中継装置（以下、本装置と略すこともある）であって、複数の無線中継装置でマルチホップ式の無線中継ネットワークを構成している。
【００１０】
２は本装置１とローカル接続されている各種ローカル接続機器であって、２−９は本装置１−９とローカル接続されたスピーカ、２−１０は本装置１−１０とローカル接続されたモニタカメラ、２−１１は本装置１−１１とローカル接続された表示装置である。
【００１１】
３は各種データの配信元または収集元の各種センタ５と繋がるゲートウェイであって、各種センタ５として、緊急情報を配信または収集する緊急情報センタ５−１、催事や広告等に係わる情報を配信する情報センタ５−２、電気、ガス、水道等の使用量に係わるデータを収集する検針センタ５−３を示している。
【００１２】
４は各戸に設置された電気、ガス、水道等の検針装置であって、本装置１にローカル接続されたローカル接続機器である。検針装置４−４〜４−６は本装置１−４〜１−６のそれぞれとローカル接続されており、各検針装置４からの検針データはマルチホップ式に検針センタ５−３へ中継される。また、検針センタからのお知らせ等の情報がマルチホップ式に各検針装置４に中継される。
【００１３】
各無線中継装置１−１〜１−１１のそれぞれは、隣接する無線中継装置との距離が無線電波の到達距離（例えば１００ｍ）以下の間隔で、所定の管理単位の地域（例えば市町村）に分散しており、隣接する無線中継装置との間でデータを中継する。
【００１４】
例えば、緊急情報センタ５−１からのデータは、無線中継装置１−１，１−２，１−３，・・・・，１−９，１−１０，１−１１を経由して、Ｃｅｎｔｅｒ  ｔｏ  Ｅｎｄの方向（下方）に伝達する。そして、緊急情報センタ５−１からのデータの内、緊急通報音声（例えば津波発生等）は無線中継装置１−９を介して、街頭に設置されたスピーカ２−９から拡声再生される。同様に、映像，文字から成る緊急通報情報は、無線中継装置１−１１を介して、街頭に設置された大型の表示装置２−１１に表示される。
【００１５】
また、モニタカメラ２−１０からの映像と音声は、無線中継装置１−１０，１−９，１−８，・・・・，１−１を経由して、Ｅｎｄ  ｔｏ  Ｃｅｎｔｅｒの方向（上方）に伝達し、無線中継装置１−１を介して、緊急情報センタ５−１に届く。
【００１６】
ここで、例えば、このモニタカメラ２−１０は常時稼動していてもよいし、異常時に緊急情報センタ５−１からの遠隔制御で起動するようにしてもよい。
【００１７】
図２は、本装置１のブロック構成図であって、１１０は隣接する他の無線中継装置と無線通信する他無線中継装置通信部、１１１はアンテナ、１２０は自無線中継装置と他無線中継装置またはローカル接続機器との間でデータを中継制御するデータ中継制御部、１３０は他無線中継装置から受信した情報の種別を判定する情報種別判定部、１４０は前段の他無線中継装置へ配信情報を受信した旨の受信通知を送信または中継する受信通知送信／中継部、１５０はローカル接続機器中継部である。１６１はローカル接続機器と本装置１を接続するローカル接続ラインである。
【００１８】
ここで、他無線中継装置通信部１１０はアンテナ１１１を介して他無線中継装置よりデータを受信し、データをデータ中継制御部１２０に送出する。データ中継制御部１２０は、受信通知送信／中継部１４０とローカル接続機器中継部１５０との間でデータの中継制御を行う。情報種別判定部１３０は、データ中継制御部１２０からデータを受信し自ローカル接続機器用のデータであるか否かを判定する。受信通知送信／中継部１４０はデータを正常に受信した旨の受信通知を、データ中継制御部１２０と他無線中継装置通信部１１０を介し、アンテナ１１１より他無線中継装置へ送出する。また他無線中継装置より受信した受信通知の中継を行う。
【００１９】
ローカル接続機器中継部１５０は情報種別判定部１３０が自ローカル接続機器用のデータと判定した場合、ローカル接続ライン１６１を介してローカル接続機器２，３，４，にデータを送出する。
【００２０】
図３は本装置１の動作フローチャートである。以下、図２を併用して、本装置１の動作フローを説明する。
【００２１】
本フローは本装置１の電源が投入された時にスタートし（Ｓ３００）、他無線中継装置通信部１１０が隣接する他無線中継装置通信部または自無線中継装置とローカル接続された他中継装置からのデータの受信を監視する（Ｓ３１０）。
【００２２】
データを受信した場合（Ｓ３１０，ＹＥＳ）、データ中継制御部１２０は、受信したデータから自無線中継装置とローカル接続されたローカル接続機器（以下、自ローカル接続機器と略す）向けのデータ種別であるかを識別するためのヘッダー情報を読み取り、前記受信したデータは自ローカル接続機器向けか否かを判定し（Ｓ３２０）、前記受信したデータが自ローカル接続機器向けのデータではないと判定したならば（Ｓ３２０，ＮＯ）、後段の他無線中継装置へデータを転送し（Ｓ３５０）、待機状態に戻る。
【００２３】
また、前記受信したデータが自ローカル接続機器向けのデータであった場合（Ｓ３２０，ＹＥＳ）、自ローカル接続機器にデータを転送し（Ｓ３３０）、前段の他無線中継装置へ受信通知を送信する（Ｓ３４０）。その後、データを後段の無線中継装置へ転送する（Ｓ３５０）。
【符号の説明】
【００２４】
１    ・・・無線中継装置
２    ・・・各種ローカル接続機器
３    ・・・各種センタと繋がるゲートウェイ
４    ・・・検針装置
５    ・・・各種センタ
１１０・・・他無線中継装置通信部
１１１・・・アンテナ
１２０・・・データ中継制御部
１３０・・・情報種別判定部
１４０・・・受信通知送信／中継部
１５０・・・ローカル接続機器中継部
１６１・・・ローカル接続ライン
【図１】
2013021485.tif 000003
【図２】
2013021485.tif 000004
【図３】
2013021485.tif 000005